(57)【要約】【課題】            傾斜地の上方への資材等の荷揚げおよび荷降ろしが容易にできると共に、足場上で作業できるクレーンの運び揚げも容易にできる傾斜地工事の施行方法を提供する。【解決手段】        少なくとも２台のクレーンを用意し、傾斜地に、そのクレーンのブームの到達距離の間隔で水平の足場を複数段に設置し、  いずれか一方のクレーンで直上の足場に他方のクレーンを持ち上げ、この持ち上げられた他方のクレーンで直下の足場の一方のクレーンを直上の足場に持ち上げるように相取りして上方の足場に移動させると共に、該クレーンを使用して少なくとも資材等の荷揚げ及び／又は荷降ろしをすることを特徴とする。【選択図】          図１
2005194745.tif 000002
【特許請求の範囲】
【請求項１】
少なくとも２台のクレーンを用意し、傾斜地に、そのクレーンのブームの到達距離の間隔で水平の足場を複数段に設置し、
いずれか一方のクレーンで直上の足場に他方のクレーンを持ち上げ、この持ち上げられた他方のクレーンで直下の足場の一方のクレーンを直上の足場に持ち上げるように相取りして上方の足場に移動させると共に、該クレーンを使用して少なくとも資材等の荷揚げ及び／又は荷降ろしをすることを特徴とする傾斜地における工事の施工方法。
【請求項２】
少なくとも１台の主クレーンと２台の補助クレーンを用意し、傾斜地の主クレーンのブームの到達地点までは主クレーンで資材等の荷揚げ及び／又は荷降ろしを行い、
それより上方の傾斜地においては、補助クレーンのブームの到達距離の間隔で水平の足場を複数段に設置し、主クレーンを使用して２台の補助クレーンを主クレーンのブームの到達するいずれかの段の足場まで持ち上げた後、いずれか一方の補助クレーンで直上の足場に他方の補助クレーンを持ち上げ、この持ち上げられた他方の補助クレーンで直下の足場の一方の補助クレーンを直上の足場に持ち上げるように相取りして上方の足場に移動させると共に、該補助クレーンを使用して主クレーンのブームの到達地点より上方の少なくとも荷揚げ及び／又は荷降ろしをすることを特徴とする傾斜地における工事の施工方法。
【発明の詳細な説明】
【技術分野】
【０００１】
この発明は、山腹などの傾斜地におこる各種工事、例えば、削孔、土留柵の施行、アンカーの施行、杭の施行および補強鉄筋の施行、等の工事の施行方法に関し、特に、急傾斜地に適用して好適な施行方法に関する。
【背景技術】
【０００２】
傾斜地（例えば、山腹）における削孔、土留柵の施行、アンカーの施行、杭の施行および補強鉄筋の施行、等の工事（以下、総称して単に「傾斜地工事」と称する。）においては、資材、機器、削孔機及びクレーン等（以下、「資材等」と称する。）を必要とするが、傾斜地工事現場が山腹などの傾斜地の上方（高所）であると、これらの資材等の荷揚げ、荷降ろしは大変で困難な仕事である。これが急傾斜地となると一層困難となる。
そこで、従来、山腹などの傾斜地の上方に資材等を荷揚げおよび荷降ろしする場合には、
（１）移動式（走行式）クレーン（大型・小型を含む）を使用する。
（２）索道式ケーブルクレーンを使用する
（３）簡易ケーブルを使用する。
（４）仮設道を設置する。
等の方法で行っていた。
例えば、図１５は、クレーン２１で傾斜地Ｇ上方の足場Ｆまで資材等２２を荷揚げしている様子を示している。このように資材等２２をクレーン２１を使用して運び揚げると容易に荷揚げすることができるし、荷揚げする時間も短くて済む。また、図１５に示すように傾斜地では施行位置に沿って水平方向に足場Ｆが設置されるが、この場合でも足場用の資材の運搬にクレーンが使用できることとなる。
【０００３】
しかし、移動式クレーンを使用する方法は、到達する高さに限界があるためにクレーンが届かないような高所への荷揚げは不可能であり、また、クレーンが進入できない場所では使用できない。
また、索道式ケーブルクレーンや簡易ケーブルを使用する方法は、公道が横断していたり山裾に民家等があるときは、全く使用できない問題点がある。更に、仮設道を設置する方法は、急傾斜地ではほとんど設置できない。
【０００４】
また、従来、削孔装置をクレーン等で吊り下げて傾斜地に削孔する方法も提案されている（例えば、特許文献１参照）。この削孔工法は、傾斜地に足場を仮設しないで能率的かつ安全に削孔を行うことができるものであるが、重量のある削孔装置を吊り下げて施行するためクレーンが必要不可欠であり、クレーンが入れないような場所やクレーンが届かないような高所での施行は不可能となる課題がある。
【特許文献１】実公平７−２１６７９号公報
【発明の開示】
【発明が解決しようとする課題】
【０００５】
このように従来の資材等を荷揚げしての傾斜地工事における施工法は、一長一短である。特に、山腹などの急傾斜地の上方での工事においては、好ましい施行方法が提案されていないし、高所への足場には小型のクレーンも運び揚げられないので、足場上での資材等の移動も大変となる課題がある。
この発明は、このような課題に鑑み提案されたものであり、その目的は、傾斜地の上方への資材等の荷揚げ及び荷降ろしが容易にできると共に、足場上で作業できるクレーンの運び揚げも容易にできる傾斜地工事の施工方法を提供することにある。
【課題を解決するための手段】
【０００６】
前記課題を解決するため、この発明の傾斜地における工事の施工方法は、少なくとも２台のクレーンを用意し、傾斜地に、そのクレーンのブームの到達距離の間隔で水平の足場を複数段に設置し、
いずれか一方のクレーンで直上の足場に他方のクレーンを持ち上げ、この持ち上げられた他方のクレーンで直下の足場の一方のクレーンを直上の足場に持ち上げるように相取りして上方の足場に移動させると共に、該クレーンを使用して少なくとも資材等の荷揚げ及び／又は荷降ろしをすることを特徴とする。
これによりクレーンは、傾斜地の上方に際限なく移動できると共に、そのクレーンを使用して傾斜地の上方へ際限なく荷揚げ及び／又は荷降ろしすることが可能となるし、足場上では資材等の運搬も行うことができる。従って、この発明によれば傾斜地工事を容易に行うことができるし、どんな上方の足場上でもクレーンにより資材等の運搬もできるので、工事は一層容易となる。ここでのクレーンは載置式でも移動（走行式）でもよいが、足場上での安定性を考慮すると載置式が好ましい。
【０００７】
また、この発明の傾斜地における工事の施工方法は、少なくとも１台の主クレーンと２台の補助クレーンを用意し、傾斜地の主クレーンのブームの到達地点までは主クレーンで資材等の荷揚げ及び／又は荷降ろしを行い、
それより上方の傾斜地においては、補助クレーンのブームの到達距離の間隔で水平の足場を複数段に設置し、主クレーンを使用して２台の補助クレーンを主クレーンのブームの到達するいずれかの段の足場まで持ち上げた後、いずれか一方の補助クレーンで直上の足場に他方の補助クレーンを持ち上げ、この持ち上げられた他方の補助クレーンで直下の足場の一方の補助クレーンを直上の足場に持ち上げるように相取りして上方の足場に移動させると共に、該補助クレーンを使用して主クレーンのブームの到達地点より上方の少なくとも荷揚げ及び／又は荷降ろしをすることを特徴とする。
これにより主クレーンのブームの到達地点までは、主クレーンで資材等の荷揚げ及び／又は荷降ろしを行い、作業効率を向上させ、それより上方の傾斜地においては、補助クレーンは傾斜地の上方に際限なく移動できると共に、その補助クレーンを使用して傾斜地の上方へ際限なく荷揚げ及び／又は荷降ろしすることが可能となるし、上方の傾斜地の足場上でも補助クレーンで資材等の運搬も行うことができる。従って、傾斜地工事を容易に効率的に行うことが出来る。
【０００８】
なお、この発明で「少なくとも資材等の荷揚げ及び／又は荷降ろしをする」とは、クレーンは資材等の荷揚げ及び／又は荷降ろし以外の使用、例えば、足場上での資材等の運搬に使用可能であるが、この発明では荷揚げ及び／又は荷降ろしに使用すれば、技術的範囲となることを意味する。
また、この発明の足場は、予め全ての足場を設置したものでもよいし、足場を建設しつつこの発明を実施してもよい。
【発明の効果】
【０００９】
この発明の傾斜地における工事の施工方法によれば、次のような効果を奏する。
（１）この発明では、少なくとも２台のクレーンを用意し、いずれか一方のクレーンで直上の足場に他方のクレーンを持ち上げ、この持ち上げられた他方のクレーンで直下の足場の一方のクレーンを直上の足場に持ち上げるように相取りして上方の足場に移動させるので、クレーンは、傾斜地の上方に際限なく移動できる。また、同様にしてクレーンでは、到達した足場毎に、直下の足場に運ばれた資材等を直上の足場に運び揚げることができるので、クレーンを使用して傾斜地の上方へ際限なく資材等の荷揚げ及び／又は荷降ろしすることが可能となるし、足場上ではクレーンで資材等の運搬も行うことができる。
従って、傾斜地工事を容易に実施することができるし、どんな上方の傾斜地でも資材等の荷揚げ及び／又は荷降ろしが可能であるし、傾斜地のどんな上方の足場でもクレーンにより資材等の運搬が可能であるので、傾斜地工事を容易に施工できる。
【００１０】
（２）また、この発明では、少なくとも１台の主クレーンと２台の補助クレーンを用意し、傾斜地の主クレーンのブームの到達地点までは主クレーンで資材等の荷揚げ及び／又は荷降ろしを行い、それより上方の傾斜地においては、２台の補助クレーンで前記と同様にして補助クレーン及び資材等を傾斜地の上方に際限なく運び揚げることができる。従って、主クレーンを組み入れることによって作業効率の向上が図れるとともに、前記と同様の効果を奏する。
【００１１】
（３）大型クレーン等のブームの到達地点より上方であってもクレーンを運び揚げて使用できる。
【発明を実施するための最良の形態】
【００１２】
この発明の傾斜地における工事の施工方法は、図１の工程説明図に示すように、少なくとも２台の小型クレーン１、２を用意し、傾斜地Ｇに、その小型クレーン１、２のブーム１ａ、２ａの到達距離の間隔で水平の足場Ｆ１、Ｆ２、Ｆ３、Ｆ４を複数段に設置し、いずれか一方の小型クレーン１で直上の足場Ｆ２に他方の小型クレーン２を持ち上げ、この持ち上げられた他方の小型クレーン２で直下の足場Ｆ１の一方の小型クレーン１を直上の足場Ｆ３に持ち上げるように相取りして上方の足場に移動させると共に、到達した足場において、少なくともその直下の足場上に運ばれてある資材等を直上の足場上に荷揚げする施行方法である。この時、小型クレーン１または小型クレーン２は、到達した足場上で資材等の運搬や削孔機等の組立てに使用してもよい。
【００１３】
また、この発明の傾斜地における工事の施工方法は、図１に示すように少なくとも１台の主クレーン１１と２台の小型クレーン（補助クレーン）１、２を用意し、傾斜地Ｇの主クレーン１１のブーム１１ａの到達地点までは主クレーン１１で資材等の荷揚げ及び／又は荷降ろしを行い、それより上方の傾斜地Ｇにおいては、小型クレーン１、２のブーム１ａ、２ａの到達距離の間隔で水平の足場Ｆ１、Ｆ２、Ｆ３、Ｆ４を複数段に設置し、主クレーン１１を使用して２台の小型クレーン１、２を主クレーン１１のブーム１１ａの到達する段の足場、図１では最下段の足場Ｆ１、まで持ち上げた後、いずれか一方の小型クレーン１で直上の足場Ｆ２に他方の小型クレーン２を持ち上げ、この持ち上げられた他方の小型クレーン２で直下の足場Ｆ１の一方の小型クレーン１を直上の足場Ｆ３に持ち上げるように相取りして上方の足場に移動させると共に、到達した足場において、少なくとも直下の足場上に運ばれてある資材等を直上の足場上に荷揚げする施行方法である。この時、小型クレーン１または２は到達した足場上で資材等の運搬や削孔機等の組立てに使用してもよい。
【００１４】
以下、この発明を図面に示す実施の形態について更に詳細に説明する。図２乃至図１０は、この発明の実施の形態に係る傾斜地における工事の施行方法を工程順に示す工程説明図である。
この傾斜地における工事の施行方法は、まず、図２に示すように傾斜地Ｇに、使用する小型クレーン１、２のブーム１ａ、２ａの到達距離の間隔で水平の足場を下方より上方に亘って複数段Ｆ１、Ｆ２、Ｆ３、Ｆ４に設置する。図２おいては足場Ｆ１側が傾斜地Ｇの下方となっており、足場Ｆ４側が上方となっている。例えば、傾斜地Ｇが山腹とすれば、足場Ｆ１側が裾側であり、足場Ｆ４側が山頂側となる。なお、傾斜地における工事とは、例えば、法面工事を指し、削孔、土留柵の工事、アンカー工事、杭工事等を例示することができる。
【００１５】
次に、図３に示すように２台の小型クレーン１、２を用意する。この２台の小型クレーン１および２は、同型であっても異なってもよい。２台の小型クレーン１および２でブーム１ａおよび２ａの到達距離が異なる場合には、それに対応し前記足場の間隔は異なってもよい。しかし、それに対応し足場の間隔が異なる場合には、足場毎に使用するクレーン１または２が特定されるので、小型クレーン１および２は同じものが好ましい。２台の小型クレーン１、２は、トラック等で搬入するが、分解した部品として搬入し現場で組み立ててもよい。
ここで、小型クレーンとは、足場Ｆ１、Ｆ２、Ｆ３、Ｆ４上に設置して作業できる範囲のものを指し、載置式（定置式）でも走行式でもよい。安定性では載置式がよいが、足場上で移動できないため、足場が水平方向に長い場合には資材等の運搬範囲に制限を受ける。しかし、どちらかのクレーン１または２で吊り上げて移動させることができるので、大きな不利にはならない。走行式は足場上で走行できる利点がある。
【００１６】
次に、図４に示すようにいずれか一方のクレーン１で他方のクレーン２を最下段の足場Ｆ１上に持ち上げる（吊り上げる）。次に、この持ち上げられた足場Ｆ１上の他方のクレーン２を使用して、地上に用意してある資材等（図示省略）を足場Ｆ１上に持ち上げる。この最初の段階では一方のクレーン１は、まだ地上にあり、このクレーン１でも足場Ｆ１に資材等を持ち上げることができるのでこの地上のクレーン１で資材等を足場Ｆ１に持ち上げてもよい。
次に、図５に示すように足場Ｆ１上に持ち上げられた他方のクレーン２を使用して、地上にあった一方のクレーン１を直上の足場Ｆ２上に持ち上げる。そして、クレーン１または２を使用して足場Ｆ１上の資材等を足場Ｆ２上に持ち上げる。この足場Ｆ１上の他方のクレーン２を使用して、地上の一方のクレーン１を足場Ｆ２上に持ち上げるには、前記したように直接足場Ｆ２上に持ち上げてもよいし、図６に示すように一端足場Ｆ１上に持ち上げ、それから足場Ｆ２上に持ち上げてもよい。この後者の場合、即ち、一方のクレーン１を足場Ｆ１上に一端持ち上げ、それから足場Ｆ２に持ち上げる場合には、一方のクレーン１で他方のクレーン２を足場Ｆ１から足場Ｆ２上に持ち上げることができるので、一方のクレーン１で他方のクレーン２を足場Ｆ２上に持ち上げてもよい。しかし、このようにすると、吊り上げる作業を交換しなければならないので、作業効率が低下し好ましくない。
【００１７】
次に、図７に示すように足場Ｆ２に運ばれた一方のクレーン１を使用して足場Ｆ１上の他方のクレーン２を足場Ｆ３上に持ち上げる。そして、クレーン１または２を使用して足場Ｆ２上の資材等を足場Ｆ３上に持ち上げる。この工程では、図８に示すように他方のクレーン２を足場Ｆ２上に一旦持ち上げてから足場Ｆ３上に移動してもよいことは、前記と同様である。
次に、図９に示すように足場Ｆ３に運ばれた他方のクレーン２を使用して足場Ｆ２上の一方のクレーン１を足場Ｆ４上に持ち上げる。そして、クレーン１または２を使用して足場Ｆ３上の資材等を足場Ｆ４上に持ち上げる。この工程では、図１０に示すように一方のクレーン１を足場Ｆ３上に一旦持ち上げてから足場Ｆ４上に移動してもよいことは前記と同様である。
【００１８】
しかして、この施行方法によれば、傾斜地Ｇであってもクレーン１および２は、相取りして際限なく上方に移動できるし、資材等も際限なく上方に運搬することができ、かつ、到達した足場上ではクレーン１または２により資材等の運搬や削孔機等の組立てをすることができる。従って、傾斜地における各種工事を容易に作業能率よく実施することができる。例えば、急傾斜地の法面に、削孔、土留柵、アンカーおよび杭、等を施行するには削孔機や柵、アンカーおよび杭用の資材が必要となるが、この発明によれば、これらの資材等を容易に運び揚げて工事を能率的に施行することができる。
なお、前記説明では、クレーン１および２や資材等の荷揚げについて説明したが、逆に工事が終了すると上方より下方に資材等を荷降ろししなければならない。この場合は、前記と逆の工程によって荷降ろしできることはいうまでもない。この場合は、使用済となった足場を解体し、その足場材をクレーン１または２を使用して荷降ろしすることもできる。
【００１９】
図１１は、この発明の他の実施の形態に係る傾斜地における工事の施行方法を示す工程説明図である。この実施の形態は、図１１に示すように１台の主クレーン１１と、２台の小型クレーン（補助クレーン）１、２を用意し、傾斜地Ｇの主クレーン１１のブーム１１ａの到達地点までは主クレーン１１で資材等の荷揚げを行い、それより上方の傾斜地Ｇにおいては、小型クレーン１、２のブーム１ａ、２ａの到達距離の間隔で水平の足場を複数段Ｆ１、Ｆ２、Ｆ３、Ｆ４に設置し、主クレーンを使用して２台の小型クレーン１、２を主クレーン１１の到達するいずれかの段の足場まで持ち上げた後、前記実施の形態と同様に実施するものである。図１１では最下段の足場Ｆ１まで主クレーン１１で運び揚げている場合を示しているが、これは例示であってブーム１１ａが到達すればそれより上方の足場であってもよいことはもちろんである。なお、この施行方法で、主クレーン１１のブーム１１ａの到達地点より下方の傾斜地Ｇに足場を設置することは自由である。他は前記実施の形態と同様であるので他の詳細な説明は省略する。
この実施の形態によれば、前記実施の形態と同様の効果を奏する他に、主クレーンを組み入れることによって作業効率の向上を図ることができる。
【００２０】
図１２乃至図１４は、この発明の更に他の実施の形態に係る傾斜地における工事の施行方法を工程順に示す工程説明図であり、傾斜地Ｇに直上に位置する足場を設置しつつ、上方に運び揚げる点に特徴がある。
即ち、この施行方法は、まず、図１２に示すように傾斜地Ｇに最下段に位置する足場Ｆ１を設置し、その足場Ｆ１上に小型クレーン１を運び揚げる。この足場Ｆ１上への運び揚げは、図１２に示すような主クレーン１１を使用してもよいし、前記図３から図４に示すように２台の小型クレーン１および２を用意し、その一方のクレーン１または２で行ってもよい。
次に、図１３に示すように足場Ｆ１の直上の足場Ｆ２を設置する。この足場Ｆ２の設置および足場材の運び揚げは、足場Ｆ１上のクレーン１を使用できるので作業が容易となる。足場Ｆ２の設置が完了したらクレーン１を使用して足場Ｆ２上に資材等を運び揚げる。そこで、図１４に示すように足場Ｆ２上に足場Ｆ１上のクレーン１を使用してクレーン２を持ち上げる。
次に、図１４に示すように足場Ｆ２の直上の足場Ｆ３を設置する。このような工程を繰り返すことによって、傾斜地Ｇの下方より上方にクレーンや資材等を運び揚げて、工事を施工することができる。他は前記実施の形態と同様であるので、他の詳細な説明は省略する。本例によれば、直上の足場の築造に直下の足場上のクレーンを使用できるし、足場を組み付ける足場材もクレーンを使用して運び揚げることができるので作業が容易となる効果を奏する。
【００２１】
なお、前記実施の形態は、この発明を制限するものではなく、この発明は要旨を逸脱しない範囲において種々の変形が許容される。
【産業上の利用可能性】
【００２２】
この発明は、傾斜地（急傾斜地も含む）における各種工事の施行に利用できるものであり、例えば、傾斜地における削孔、土留柵の施行、アンカーの施行、杭の施行および補強鉄筋の施行、等の工事の施行に利用可能である。
【図面の簡単な説明】
【００２３】
【図１】この発明の傾斜地における工事の施行方法の全体を示す工程説明図である。
【図２】この発明の実施の形態に係る傾斜地における工事の施行方法を示す工程説明図である。
【図３】この発明の実施の形態に係る傾斜地における工事の施行方法の次の工程を示す工程説明図である。
【図４】この発明の実施の形態に係る傾斜地における工事の施行方法の更に次の工程を示す工程説明図である。
【図５】この発明の実施の形態に係る傾斜地における工事の施行方法の更に次の工程を示す工程説明図である。
【図６】この発明の実施の形態に係る傾斜地における工事の施行方法の変形工程を示す工程説明図である。
【図７】この発明の実施の形態に係る傾斜地における工事の施行方法の更に次の工程を示す工程説明図である。
【図８】この発明の実施の形態に係る傾斜地における工事の施行方法の変形工程を示す工程説明図である。
【図９】この発明の実施の形態に係る傾斜地における工事の施行方法の更に次の工程を示す工程説明図である。
【図１０】この発明の実施の形態に係る傾斜地における工事の施行方法の変形工程を示す工程説明図である。
【図１１】この発明の他の実施の形態に係る傾斜地における工事の施行方法を示す工程説明図である。
【図１２】この発明の更に他の実施の形態に係る傾斜地における工事の施行方法を示す工程説明図である。
【図１３】この発明の更に他の実施の形態に係る傾斜地における工事の施行方法の次の工程を示す工程説明図である。
【図１４】この発明の更に他の実施の形態に係る傾斜地における工事の施行方法の更に次の工程を示す工程説明図である。
【図１５】従来例を示す一部断面の側面図である。
【符号の説明】
【００２４】
１、２  小型クレーン（補助クレーン）
１ａ、２ａ  ブーム
Ｆ１、Ｆ２、Ｆ３、Ｆ４  足場
１１  主クレーン
１１ａ  ブーム
Ｇ  傾斜地
【図１】
2005194745.tif 000003
【図２】
2005194745.tif 000004
【図３】
2005194745.tif 000005
【図４】
2005194745.tif 000006
【図５】
2005194745.tif 000007
【図６】
2005194745.tif 000008
【図７】
2005194745.tif 000009
【図８】
2005194745.tif 000010
【図９】
2005194745.tif 000011
【図１０】
2005194745.tif 000012
【図１１】
2005194745.tif 000013
【図１２】
2005194745.tif 000014
【図１３】
2005194745.tif 000015
【図１４】
2005194745.tif 000016
【図１５】
2005194745.tif 000017